(57)【要約】  楽曲データを記憶するメモリ２７と、フロントエンド部３によるデジタル放送の受信状態を判定し、受信状態の劣化により放送内容の再生ができない受信不可状態になると、メモリ２７から選択された楽曲データをＢＧＭとしてバックエンド部４に再生させる判定部２３とを備える。
2010026692.tif 000002
【特許請求の範囲】
【請求項１】
デジタル放送を受信して復調するフロントエンド部と、前記フロントエンド部で復調された信号をデコードして放送内容を再生するバックエンド部とを備えたデジタル受信機において、
楽曲データを記憶する記憶部と、
前記フロントエンド部による前記デジタル放送の受信状態を判定して、前記受信状態の劣化により放送内容の再生ができない受信不可状態になると、前記記憶部から選択された楽曲データをＢＧＭとして前記バックエンド部に再生させる判定部とを備えたことを特徴とするデジタル受信機。
【請求項２】
外部操作で設定された情報を取得して保持する設定情報取得部を備え、
ＢＧＭとして再生される楽曲データは、前記外部操作で設定された情報によって記憶部から選択された楽曲データであることを特徴とする請求項１記載のデジタル受信機。
【請求項３】
判定部は、フロントエンド部によるデジタル放送の受信状態が受信不可から受信可へ復帰した時点から所定の安定時間が経過した後に、バックエンド部によるＢＧＭ再生を停止させ、放送内容の再生を再開させることを特徴とする請求項１記載のデジタル受信機。
【請求項４】
外部操作で設定された情報を取得して保持する設定情報取得部を備え、
安定時間は、前記外部操作で設定された情報によって指定された時間であることを特徴とする請求項３記載のデジタル受信機。
【請求項５】
デジタル放送を受信して復調するフロントエンド部と、前記フロントエンド部で復調された信号をデコードして放送内容を再生するバックエンド部とを備えたデジタル受信機において、
外部操作に応じて音声出力の音量を制御するボリューム制御部と、
前記フロントエンド部によるデジタル放送の受信状態を判定して、受信状態の劣化により放送内容の再生ができない受信不可状態になると、音量変化の許容範囲を前記ボリューム制御部に設定する判定部とを備え、
前記ボリューム制御部は、前記音量変化の許容範囲内の外部操作のみを受け付けて音量を制御することを特徴とするデジタル受信機。
【請求項６】
デジタル放送を受信して復調するフロントエンド部と、前記フロントエンド部で復調された信号をデコードして放送内容を再生するバックエンド部とを備えたデジタル受信機において、
外部操作に応じて音声出力の音量を制御するボリューム制御部と、
前記フロントエンド部によるデジタル放送の受信状態を判定して、受信状態の劣化により放送内容の再生ができない受信不可状態になると、前記外部操作に応じた音量制御を禁止する指令を前記ボリューム制御部に通知する判定部とを備え、
前記ボリューム制御部は、前記判定部から前記禁止指令を受けると、前記外部操作に応じた音量制御を行わないことを特徴とするデジタル受信機。
【請求項７】
判定部は、フロントエンド部による受信信号の誤り訂正処理で得られたパケットエラー率と所定の閾値との比較結果から、放送内容の再生ができない受信不可状態であるか否かを判定することを特徴とする請求項１記載のデジタル受信機。
【請求項８】
判定部は、フロントエンド部による受信信号の誤り訂正処理で得られたパケットエラー率と所定の閾値との比較結果から、放送内容の再生ができない受信不可状態であるか否かを判定することを特徴とする請求項５記載のデジタル受信機。
【請求項９】
判定部は、フロントエンド部による受信信号の誤り訂正処理で得られたパケットエラー率と所定の閾値との比較結果から、放送内容の再生ができない受信不可状態であるか否かを判定することを特徴とする請求項６記載のデジタル受信機。
【発明の詳細な説明】
【技術分野】
【０００１】
本発明は、デジタル放送を受信するデジタル受信機に関する。
【背景技術】
【０００２】
従来のデジタル受信機には、受信状態の劣化によってデジタルテレビ放送が受信不可能となり、放送内容の映像及び音声が途切れたことをユーザに知らせるため、受信不可能時に音声のノイズを挿入して出力するものがある（例えば、特許文献１参照）。
【先行技術文献】
【特許文献】
【０００３】
【特許文献１】特開平１０−９３４５４号公報
【発明の概要】
【０００４】
しかしながら、従来のデジタル受信機のように、デジタルテレビ放送の受信状態が劣化して受信が途切れる度にノイズ音が挿入されるのでは、ユーザに不快感を与える可能性がある。また、ノイズ音は、楽曲などの意味のある音声とは異なって、音程などを考慮した適確な音量調整ができない。一般的には、ユーザにノイズ音を聞きたくないという心理が働き、最小音量（無音状態）に調整される場合が多い。この場合、受信可能な状態に復帰しても無音状態であるために、音声出力が再開されたことをユーザが認識できないという不具合が発生する。
【０００５】
また、受信状態の劣化によってデジタル放送の音声出力が途絶えると、最小音量に調整されていると勘違いして、ユーザが大音量に音量操作してしまう場合がある。この場合、受信状態が復帰すると、いきなり大音量の音声が出力される。このような事態は、車両の走行場所によって受信状態が変化する車載用のデジタル受信機において多く発生する可能性があり、安全面においても好ましくない。
【０００６】
この発明は、上記のような課題を解決するためになされたもので、受信状態の劣化によってデジタル放送が受信不可能になったことを、ユーザに不快感を与えることなく、ユーザの嗜好に合わせた形態で伝えることができ、また、受信不可能時における音量調整の誤操作を防止することができるデジタル受信機を得ることを目的とする。
【０００７】
この発明に係るデジタル受信機は、デジタル放送を受信して復調するフロントエンド部と、前記フロントエンド部で復調された信号をデコードして放送内容を再生するバックエンド部とを備えたデジタル受信機において、楽曲データを記憶する記憶部と、前記フロントエンド部による前記デジタル放送の受信状態を判定して、前記受信状態の劣化により放送内容の再生ができない受信不可状態になると、前記記憶部から選択された楽曲データをＢＧＭとして前記バックエンド部に再生させる判定部とを備えるものである。
【０００８】
この発明によれば、フロントエンド部によるデジタル放送の受信状態を判定し、受信状態の劣化により放送内容の再生ができない受信不可状態になると、記憶部から選択された楽曲データをＢＧＭとしてバックエンド部に再生させるので、受信状態の劣化によってデジタル放送が受信不可能になったことを、ユーザに不快感を与えることなく、ユーザの嗜好に合わせた形態で伝えることができるという効果がある。
【図面の簡単な説明】
【０００９】
【図１】この発明の実施の形態１によるデジタル受信機の構成を示す図である。
【図２】実施の形態１によるデジタル受信機の動作の流れを示すフローチャートである。
【図３】図１中の判定部の動作概要を説明するための図である。
【図４】実施の形態１によるデジタル受信機の他の動作の流れを示すフローチャートである。
【図５】実施の形態１によるデジタル受信機の他の動作の流れを示すフローチャートである。
【発明を実施するための形態】
【００１０】
以下、この発明をより詳細に説明するために、この発明を実施するための形態について、添付の図面に従って説明する。
実施の形態１．
図１は、この発明の実施の形態１によるデジタル受信機の構成を示す図であり、この発明をデジタルテレビ放送の受信機に適用した場合を示している。図１において、実施の形態１によるデジタル受信機１は、アンテナ２、フロントエンド部３、バックエンド部４、音声信号加工部５、アンプ（ＡＭＰ）６、モニタ７、スピーカ（ＳＰ）８、マイコン部９、外部操作部１０及びメモリ（記憶部）２７を備える。
【００１１】
フロントエンド部３は、チューナ１１及びＯＦＤＭ復調部１２を備える。チューナ１１は、アンテナ２で受信されたデジタルテレビ放送（電波）の受信信号から放送内容の再生に必要な変調信号を抽出する。ＯＦＤＭ復調部１２は、チューナ１１で抽出された変調信号を入力してＯＦＤＭ（Orthogonal Frequency Division Multiplexing）復調することにより、ＴＳ（Transport Stream）信号を得る。
【００１２】
バックエンド部４は、ＯＦＤＭ復調部１２によって得られたＴＳ信号をデコードして、デジタルテレビ放送内容の音声信号及び映像信号を再生する構成要素であって、ＴＳデコーダ１３、音声デコーダ１４及び映像デコーダ表示処理部１５を備える。ここで、ＴＳデコーダ１３は、ＯＦＤＭ復調部１２から入力したＴＳ信号を、音声や映像などのエレメンタリストリーム（ＥＳ；Elementary Stream）に分離する。音声デコーダ１４は、音声のエレメンタリストリームをデコードして音声信号に変換する。映像デコーダ表示処理部１５は、映像のエレメンタリストリームをデコードして映像信号に変換する。
【００１３】
なお、ＴＳデコーダ１３、音声デコーダ１４及び映像デコーダ表示処理部１５は、専用のハードウエア回路で実現される場合もあるが、マイクロコンピュータのＣＰＵに実行させるソフトウエアによって実現することも可能である。また、ＴＳデコーダ１３からは、音声や映像のエレメンタリストリーム以外に、データ放送のストリームも取り出される。データ放送のストリームは、デジタル受信機１の内部メモリなどに転送、蓄積された後、ＣＰＵによって実行される。
【００１４】
音声信号加工部５は、音声デコーダ１４から入力した音声信号に対し、音量、音質などの音響特性（音響パラメータ）を変更する加工処理を施す構成要素であり、例えばデジタル信号処理器（ＤＳＰ：Digital Signal Processor）や電子ボリュームなどから構成される。音声信号加工部５から出力された音声信号は、アンプ（ＡＭＰ）６により増幅され、スピーカ８から出力される。また、映像デコーダ表示処理部１５から出力された映像信号はモニタ７に出力され、モニタ７の画面上に表示される。
【００１５】
マイコン部９は、音声信号の出力音量の制御（以下、ＶＯＬ制御と呼ぶ）や、バックエンド部４の動作制御などを行う構成要素であり、ＰＥＲ確認部１６、バックエンドＩ／Ｆ１７、ＶＯＬ制御部（ボリューム制御部）１８、外部ＶＯＬ操作Ｉ／Ｆ１９、設定情報取得部２０及びタイマ２１を備える。
【００１６】
なお、ＰＥＲ確認部１６、バックエンドＩ／Ｆ１７、ＶＯＬ制御部１８、外部ＶＯＬ操作Ｉ／Ｆ１９及び設定情報取得部２０は、例えばこれら構成要素の機能をプログラムモジュールでそれぞれ表した制御プログラムを、マイクロコンピュータのＣＰＵに実行させることにより、このマイクロコンピュータ上でソフトウエアとハードウエアとが協働した具体的な手段として実現することができる。
【００１７】
ＰＥＲ確認部１６は、ＯＦＤＭ復調部１２から取り込んだＯＦＤＭ復調後のパケットエラー率（Packet Error Rate）（以下、ＰＥＲと呼ぶ）を基にデジタルテレビ放送の受信状態を判定し、バックエンド部４の動作制御などを行う構成要素であり、ＰＥＲ保管部２２及び判定部２３を備える。
【００１８】
ＰＥＲ保管部２２は、ＰＥＲ確認部１６がＯＦＤＭ復調部１２から取り込んだＰＥＲを保管するメモリである。判定部２３は、ＰＥＲ保管部２２に保管されたＰＥＲに基づいてフロントエンド部３によるデジタルテレビ放送の受信状態を判定し、この受信状態に応じてバックエンド部４の動作制御などを行う。判定部２３による処理の詳細は後述する。
【００１９】
バックエンドＩ／Ｆ１７は、マイコン部９とバックエンド部４とのインタフェースであり、マイコン部９によるバックエンド部４の制御は、バックエンドＩ／Ｆ１７を介して行われる。ＶＯＬ制御部１８は、外部ＶＯＬ操作Ｉ／Ｆ１９を介して外部ＶＯＬ操作部２５を用いて設定された音量を入力し、この音量で音声信号を出力するように音声信号加工部５を制御する（ＶＯＬ制御）。外部ＶＯＬ操作Ｉ／Ｆ１９は、マイコン部９と外部ＶＯＬ操作部２５とのインタフェースであり、外部ＶＯＬ操作部２５を用いた音量調整操作（以下、ＶＯＬ操作と呼ぶ）で設定された音量を取り込み、ＶＯＬ制御部１８へ出力する。
【００２０】
設定情報取得部２０は、モニタ７にメニュー画面などを表示させて、外部操作部１０を用いた情報設定を受け付けるＧＵＩ（Graphical User Interface）を提供する構成要素であり、メニュー画面に基づいて外部操作部１０を用いて設定された受信不可能時の処理で使用する情報を取り込んで設定情報メモリ２４に格納する。この情報には、受信不可能時にＢＧＭとして再生する楽曲データを指定する情報や、受信状態が安定したか否かを確認するためのエラーフリー時間（以下、安定時間と呼ぶ）などが挙げられる。
【００２１】
外部操作部１０は、デジタル受信機１の外部から操作をするための構成要素であって、外部からのＶＯＬ操作を受け付ける外部ＶＯＬ操作部２５及びメニュー画面などに応じてユーザが所望の情報を設定操作するための操作ボタン２６を備える。メモリ２７は、受信不可能時にＢＧＭとして再生する楽曲データなどを格納するメモリであり、例えばデジタル受信機１の内部メモリ若しくはＵＳＢ（Universal Serial Bus）などで接続可能な外部メモリに構築される。
【００２２】
次に動作について説明する。
図２は実施の形態１によるデジタル受信機の動作の流れを示すフローチャートであり、マイコン部９による動作を主に示している。
先ず、受信状態の劣化によってデジタル放送が受信不可能になった際に実行する処理で使用する情報を事前に設定する（ステップＳＴ１）。例えば、設定情報取得部２０が、メモリ２７に格納した楽曲データをリストアップした楽曲選択欄や安定時間を選択又は入力させる時間設定欄をメニュー画面として表示し、このメニュー画面を基に外部操作部１０を用いて指定された情報（ＢＧＭ用の楽曲データを指定する情報及び安定時間）を取り込んで設定情報メモリ２４に格納する。
【００２３】
次に、デジタルテレビ放送の受信中、マイコン部９のＰＥＲ確認部１６は、ＯＦＤＭ復調による誤り訂正処理で得られたＰＥＲデータをＯＦＤＭ復調部１２から取り込み、ＰＥＲ保管部２２に保管する（ステップＳＴ２）。ＰＥＲ確認部１６の判定部２３は、ＰＥＲ保管部２２に保管されたＰＥＲデータを読み出してＰＥＲに関する所定の閾値と比較し、この比較結果から受信可能な受信状態であるか否かを判定する（ステップＳＴ３）。
例えば、画面がフリーズするＰＥＲ値を上記閾値として判定部２３に予め設定しておき、ＰＥＲ保管部２２から読み出したＰＥＲデータが、この上限値以下であると受信可能状態と判定し、上記閾値を超えると放送内容の再生ができない受信不可能な状態であると判定する。
【００２４】
受信不可能な受信状態であると、判定部２３は、ステップＳＴ１でユーザによって選択された楽曲データを指定する情報を設定情報メモリ２４から読み出し、バックエンドＩ／Ｆ１７を介してバックエンド部４を制御して、上記情報で指定される楽曲データをメモリ２７から読み出させる（ステップＳＴ４）。この後、バックエンド部４は、メモリ２７から読み出した上記楽曲データを、受信不可能時におけるＢＧＭとして再生する（ステップＳＴ５）。なお、ＰＥＲ確認部１６は、上述したＢＧＭの再生処理後においてもＯＦＤＭ復調部１２からＰＥＲデータ取り込みを継続する。
【００２５】
一方、ステップＳＴ３で受信可能である場合、判定部２３は、バックエンドＩ／Ｆ１７を介してバックエンド部４による再生動作の状況をモニタし、受信不可能時におけるＢＧＭを再生中であるか否かを確認する（ステップＳＴ６）。ここで、ＢＧＭ再生中であれば、判定部２３は、ステップＳＴ１でユーザによって選択された安定時間を設定情報メモリ２４から読み出し、これをタイマ２１にセットしてカウントを開始させ、当該安定時間が経過するまで待ち状態に移行する（ステップＳＴ７）。この待ち状態の間、ＰＥＲ確認部１６は、ＯＦＤＭ復調部１２からＰＥＲデータを取り込み、ＰＥＲ保管部２２に保管する（ステップＳＴ８）。
【００２６】
安定時間が経過すると、判定部２３は、上記待ち状態の間に取り込まれたＰＥＲデータをＰＥＲ保管部２２から読み出し、ステップＳＴ３と同様にして受信可能な受信状態であるか否かを判定する（ステップＳＴ９）。このとき、受信可能であれば、判定部２３は、バックエンドＩ／Ｆ１７を介してバックエンド部４を制御し上記ＢＧＭ再生を停止させる（ステップＳＴ１０）。この後、デジタル受信機１は、デジタルテレビ放送の受信を再開する（ステップＳＴ１１）。
【００２７】
ＰＥＲ確認部１６は、ステップＳＴ１１でデジタルテレビ放送の受信が再開（テレビ音声出力）されるか、若しくは、ステップＳＴ９で依然として受信不可能である場合、ステップＳＴ２の処理に戻ってＯＦＤＭ復調部１２からＰＥＲデータ取り込みを継続し、上述した各ステップの処理を繰り返す。
【００２８】
図３は、図１中の判定部の動作概要を説明するための図であり、時間経過に応じたデジタルテレビ放送の受信状態と受信可否の判定結果とを示している。デジタルテレビ放送の電波状態の変化を電界で表すと、上述したＰＥＲデータの閾値に対応する電界閾値を超える値であれば、判定部２３は、フロントエンド部３によってデジタルテレビ放送が受信可能な受信状態であり、ＢＧＭ再生を停止すべきと判定（判定Ａ）する。
【００２９】
しかしながら、電界の状態は常に変動しているため、図３に示すように電界が閾値近辺でふらつく場合がある。例えば、デジタルテレビ放送が受信不可能な受信状態であり、ＢＧＭを再生すべきとの判定（判定Ｂ）による処理がなされていた状態から、電界が閾値を超えた時点（復帰時点）でただちに判定Ａの処理に切り替え、この直後に電界が閾値未満に戻ると、再び判定Ｂの処理に切り替えなければならない。
【００３０】
そこで、実施の形態１によるデジタル受信機では、判定Ｂの処理がなされた状態で電界が閾値を超えた（復帰）場合、電界が閾値を超えた時点（復帰時点）から所定の安定時間の経過を待つことにより、判定Ａ（デジタルテレビ放送の受信）と判定Ｂ（ＢＧＭ再生）との頻繁な切り替えを防止している。
【００３１】
また、ＶＯＬ操作におけるボリューム変化量に受信不可能時の上限値を設定しておき、受信不可能時には当該上限値を超えるＶＯＬ操作を受け付けないようにしてもよい。
この場合、マイコン部９の判定部２３が、受信不可能時のボリューム変化量の上限値をＶＯＬ制御部１８に設定し、ＶＯＬ制御部１８が、受信不可能時に当該上限値を超えるＶＯＬ操作を受け付けない。なお、受信不可能時のボリューム変化量の上限値は、予め固定値を設定しておいてもよく、またユーザに選択指定された値を設定情報取得部２０で取得して使用するようにしてもよい。
【００３２】
図４は、実施の形態１によるデジタル受信機の他の動作の流れを示すフローチャートであり、受信不可能時にボリューム変化量の上限値範囲内でＶＯＬ操作を受け付ける動作を示している。先ず、判定部２３は、外部ＶＯＬ操作Ｉ／Ｆ１９を介して、外部ＶＯＬ操作部２５を用いたＶＯＬ操作の有無をモニタする。このとき、外部からＶＯＬ操作があると（ステップＳＴ１ａ）、ＰＥＲ確認部１６は、ＯＦＤＭ復調における誤り訂正処理で得られたＰＥＲデータをＯＦＤＭ復調部１２から取り込んでＰＥＲ保管部２２に保管する（ステップＳＴ２ａ）。
【００３３】
判定部２３は、ＰＥＲ保管部２２に保管されたＰＥＲデータを読み出して、図２の場合と同様にＰＥＲに関する所定の閾値と比較し、この比較結果から受信可能な状態か否かを判定する（ステップＳＴ３ａ）。ここで、判定部２３により受信可能な状態であると判定されれば、ＶＯＬ制御部１８は、受信不可能時におけるボリューム変化量の上限値が設定されていれば、これをクリアする（ステップＳＴ４ａ）。これにより、ＶＯＬ制御部１８は、最大音量を含む通常の音量制御範囲内のＶＯＬ操作を受け付ける（ステップＳＴ５ａ）。
【００３４】
一方、ステップＳＴ３ａにおいて受信不可能な状態であると、判定部２３は、ボリューム変化量の上限値をＶＯＬ制御部１８に設定済みであるか否かを確認する（ステップＳＴ６ａ）。このとき、上記ボリューム変化量の上限値が設定されていなければ、判定部２３は、当該上限値をＶＯＬ制御部１８に設定する（ステップＳＴ７ａ）。
【００３５】
ステップＳＴ６ａで上限値が設定済みであったか若しくはステップＳＴ７ａで上限値が設定されると、ＶＯＬ制御部１８は、設定された上限値を超えない範囲でＶＯＬ操作を受け付ける（ステップＳＴ８ａ、ＳＴ５ａ）。このようにすることで、受信不可能時に大音量に音量調整される誤操作を防止することができ、受信可能時に急激な音量変化（無音から大音量への変化）が発生することがない。
【００３６】
なお、上記説明ではボリューム変化量の上限値を設定する場合を示したが、受信不可能時に無音状態に誤操作されることを防止するため、ボリューム変化量の下限値を設定するようにしてもよい。この場合、下限値を下回らない範囲でＶＯＬ操作が受け付けられて、受信不可能時に無音に設定され、受信可能な状態に復帰したことが把握できなくなることを防止することができる。この他、上限値と下限値を同時に設定し、これらで規定される範囲内でのＶＯＬ操作のみを受け付けるようにしても構わない。
【００３７】
また、受信不可能時におけるＶＯＬ操作の誤操作を確実に無くすため、受信不可能時にはＶＯＬ操作を受け付けないようにしてもよい。
図５は、実施の形態１によるデジタル受信機の他の動作の流れを示すフローチャートであり、受信不可能時にＶＯＬ操作を受け付けない動作を示している。図５において、ステップＳＴ１ｂからステップＳＴ３ｂまでの処理は、図４と同様である。ステップＳＴ３ｂにおいて、判定部２３が受信可能な状態であると判定した場合、ＶＯＬ制御部１８は、最大音量を含む通常の音量制御範囲内のＶＯＬ操作を受け付ける（ステップＳＴ４ｂ）。
【００３８】
一方、ステップＳＴ３ｂにおいて受信不可能な状態であると、判定部２３は、外部ＶＯＬ操作部２５を用いてなされたＶＯＬ操作に応じたＶＯＬ制御（外部操作に応じた音量制御）を禁止する指令を、ＶＯＬ制御部１８に通知する（ステップＳＴ５ｂ）。この通知を受けると、ＶＯＬ制御部１８は、受信不可能時にＶＯＬ操作を受け付けずに処理を終了する。
【００３９】
以上のように、この実施の形態１によれば、楽曲データを記憶するメモリ２７と、フロントエンド部３によるデジタル放送の受信状態を判定し、受信状態の劣化により放送内容の再生ができない受信不可状態になると、メモリ２７から選択された楽曲データをＢＧＭとしてバックエンド部４に再生させる判定部２３とを備える。
また、上記構成において、判定部２３が、フロントエンド部３のＯＦＤＭ復調部１２による受信信号の誤り訂正処理で得られたＰＥＲと所定の閾値との比較結果から、放送内容の再生ができない受信不可状態であるか否かを判定する。
このように構成することにより、受信状態の劣化でデジタル放送が受信不可能になったことを、ユーザに不快感を与えることなく伝えることができる。また、受信不可能時においても、ユーザがＢＧＭを聞きながら適確にＶＯＬ操作することができる。これにより、受信不可能時における音量調整の誤操作を防止することができる。
【００４０】
また、この実施の形態１によれば、外部操作で設定された情報を取得して保持する設定情報取得部２０を備え、ＢＧＭとして再生される楽曲データが、外部操作で設定された情報によってメモリ２７から選択された楽曲データである。これにより、受信状態の劣化でデジタル放送が受信不可能になったことを、ユーザの嗜好に合わせた形態で伝えることができる。
【００４１】
さらに、この実施の形態１によれば、判定部２３が、フロントエンド部３によるデジタル放送の受信状態が受信不可から受信可へ復帰した時点から安定時間が経過した後に、バックエンド部３によるＢＧＭ再生を停止させ、放送内容の再生を再開させる。このようにすることで、受信状態のふらつきに応じて受信可能時の処理と受信不可能時の処理とが頻繁に切り替わることを防止できる。なお、安定時間を外部操作で設定された時間とすることにより、受信可能時と受信不可能時との処理の切り替えをユーザ嗜好に合わせて実行できる。
【００４２】
さらに、この実施の形態１によれば、判定部２３が、フロントエンド部３によるデジタル放送の受信状態を判定して、受信状態の劣化により放送内容の再生ができない受信不可状態になると、音量変化の許容範囲をＶＯＬ制御部１８に設定し、ＶＯＬ制御部１８が、設定された音量変化の許容範囲内の外部操作のみを受け付けて音量を制御する。または、判定部２３が、外部操作に応じた音量制御を禁止する指令をＶＯＬ制御部１８に通知し、ＶＯＬ制御部１８が、禁止指令を受けると、外部操作に応じた音量制御を行わない。
このように構成することにより、受信不可能時における音量調整の誤操作を防止することができる。
【００４３】
なお、上記実施の形態１では、この発明の概念をデジタルテレビ放送受信機に適用した場合を示したが、これに限定されるものではない。例えば、デジタルラジオ放送の受信機に適用しても、上記と同様な効果が得られる。
【００４４】
また、上記実施の形態１では、受信不可能時にＢＧＭ再生を行う場合を示したが、ユーザ嗜好に合う動画像や静止画像を予め指定しておき、当該画像をモニタ７に表示しつつ、ＢＧＭを再生するようにしてもよい。
【産業上の利用可能性】
【００４５】
この発明に係るデジタル受信機は、フロントエンド部によるデジタル放送の受信状態を判定し、受信状態の劣化により放送内容の再生ができない受信不可状態になると、記憶部から選択された楽曲データをＢＧＭとしてバックエンド部に再生させるので、受信状態の劣化によってデジタル放送が受信不可能になったことを、ユーザに不快感を与えることなく、ユーザの嗜好に合わせた形態で伝えることができるという効果がある。よって、デジタル放送を受信するデジタル受信機等に用いるのに適している。
【図１】
2010026692.tif 000003
【図２】
2010026692.tif 000004
【図３】
2010026692.tif 000005
【図４】
2010026692.tif 000006
【図５】
2010026692.tif 000007
【手続補正書】
【提出日】平成22年8月18日(2010.8.18)
【手続補正１】
【補正対象書類名】明細書
【補正対象項目名】全文
【補正方法】変更
【補正の内容】
【発明の詳細な説明】
【技術分野】
【０００１】
本発明は、デジタル放送を受信するデジタル受信機に関する。
【背景技術】
【０００２】
従来のデジタル受信機には、受信状態の劣化によってデジタルテレビ放送が受信不可能となり、放送内容の映像及び音声が途切れたことをユーザに知らせるため、受信不可能時に音声のノイズを挿入して出力するものがある（例えば、特許文献１参照）。
【先行技術文献】
【特許文献】
【０００３】
【特許文献１】特開平１０−９３４５４号公報
【発明の概要】
【発明が解決しようとする課題】
【０００４】
しかしながら、従来のデジタル受信機のように、デジタルテレビ放送の受信状態が劣化して受信が途切れる度にノイズ音が挿入されるのでは、ユーザに不快感を与える可能性がある。また、ノイズ音は、楽曲などの意味のある音声とは異なって、音程などを考慮した適確な音量調整ができない。一般的には、ユーザにノイズ音を聞きたくないという心理が働き、最小音量（無音状態）に調整される場合が多い。この場合、受信可能な状態に復帰しても無音状態であるために、音声出力が再開されたことをユーザが認識できないという不具合が発生する。
【０００５】
また、受信状態の劣化によってデジタル放送の音声出力が途絶えると、最小音量に調整されていると勘違いして、ユーザが大音量に音量操作してしまう場合がある。この場合、受信状態が復帰すると、いきなり大音量の音声が出力される。このような事態は、車両の走行場所によって受信状態が変化する車載用のデジタル受信機において多く発生する可能性があり、安全面においても好ましくない。
【０００６】
この発明は、上記のような課題を解決するためになされたもので、受信状態の劣化によってデジタル放送が受信不可能になったことを、ユーザに不快感を与えることなく、ユーザの嗜好に合わせた形態で伝えることができ、また、受信不可能時における音量調整の誤操作を防止することができるデジタル受信機を得ることを目的とする。
【課題を解決するための手段】
【０００７】
この発明に係るデジタル受信機は、デジタル放送を受信して復調するフロントエンド部と、前記フロントエンド部で復調された信号をデコードして放送内容を再生するバックエンド部とを備えたデジタル受信機において、外部操作に応じて音声出力の音量を制御するボリューム制御部と、フロントエンド部によるデジタル放送の受信状態を判定して、放送内容の再生ができない状態と判定した際に、音量変化の許容範囲を前記ボリューム制御部に設定する判定部とを備え、ボリューム制御部は、前記設定された許容範囲内に音量を制御するものである。
【発明の効果】
【０００８】
この発明によれば、フロントエンド部によるデジタル放送の受信状態を判定して、受信状態の劣化により放送内容の再生ができない受信不可状態になると、音量変化の許容範囲をボリューム制御部に設定し、ボリューム制御部が、設定された音量変化の許容範囲内の外部操作のみを受け付けて音量を制御する。または、判定部が、外部操作に応じた音量制御を禁止する指令をボリューム制御部に通知し、ボリューム制御部が、禁止指令を受けると、外部操作に応じた音量制御を行わない。
このように構成することにより、受信不可能時における音量調整の誤操作を防止することができる。
【図面の簡単な説明】
【０００９】
【図１】この発明の実施の形態１によるデジタル受信機の構成を示す図である。
【図２】実施の形態１によるデジタル受信機の動作の流れを示すフローチャートである。
【図３】図１中の判定部の動作概要を説明するための図である。
【図４】実施の形態１によるデジタル受信機の他の動作の流れを示すフローチャートである。
【図５】実施の形態１によるデジタル受信機の他の動作の流れを示すフローチャートである。
【発明を実施するための形態】
【００１０】
以下、この発明をより詳細に説明するために、この発明を実施するための形態について、添付の図面に従って説明する。
実施の形態１．
図１は、この発明の実施の形態１によるデジタル受信機の構成を示す図であり、この発明をデジタルテレビ放送の受信機に適用した場合を示している。図１において、実施の形態１によるデジタル受信機１は、アンテナ２、フロントエンド部３、バックエンド部４、音声信号加工部５、アンプ（ＡＭＰ）６、モニタ７、スピーカ（ＳＰ）８、マイコン部９、外部操作部１０及びメモリ（記憶部）２７を備える。
【００１１】
フロントエンド部３は、チューナ１１及びＯＦＤＭ復調部１２を備える。チューナ１１は、アンテナ２で受信されたデジタルテレビ放送（電波）の受信信号から放送内容の再生に必要な変調信号を抽出する。ＯＦＤＭ復調部１２は、チューナ１１で抽出された変調信号を入力してＯＦＤＭ（Orthogonal Frequency Division Multiplexing）復調することにより、ＴＳ（Transport Stream）信号を得る。
【００１２】
バックエンド部４は、ＯＦＤＭ復調部１２によって得られたＴＳ信号をデコードして、デジタルテレビ放送内容の音声信号及び映像信号を再生する構成要素であって、ＴＳデコーダ１３、音声デコーダ１４及び映像デコーダ表示処理部１５を備える。ここで、ＴＳデコーダ１３は、ＯＦＤＭ復調部１２から入力したＴＳ信号を、音声や映像などのエレメンタリストリーム（ＥＳ；Elementary Stream）に分離する。音声デコーダ１４は、音声のエレメンタリストリームをデコードして音声信号に変換する。映像デコーダ表示処理部１５は、映像のエレメンタリストリームをデコードして映像信号に変換する。
【００１３】
なお、ＴＳデコーダ１３、音声デコーダ１４及び映像デコーダ表示処理部１５は、専用のハードウエア回路で実現される場合もあるが、マイクロコンピュータのＣＰＵに実行させるソフトウエアによって実現することも可能である。また、ＴＳデコーダ１３からは、音声や映像のエレメンタリストリーム以外に、データ放送のストリームも取り出される。データ放送のストリームは、デジタル受信機１の内部メモリなどに転送、蓄積された後、ＣＰＵによって実行される。
【００１４】
音声信号加工部５は、音声デコーダ１４から入力した音声信号に対し、音量、音質などの音響特性（音響パラメータ）を変更する加工処理を施す構成要素であり、例えばデジタル信号処理器（ＤＳＰ：Digital Signal Processor）や電子ボリュームなどから構成される。音声信号加工部５から出力された音声信号は、アンプ（ＡＭＰ）６により増幅され、スピーカ８から出力される。また、映像デコーダ表示処理部１５から出力された映像信号はモニタ７に出力され、モニタ７の画面上に表示される。
【００１５】
マイコン部９は、音声信号の出力音量の制御（以下、ＶＯＬ制御と呼ぶ）や、バックエンド部４の動作制御などを行う構成要素であり、ＰＥＲ確認部１６、バックエンドＩ／Ｆ１７、ＶＯＬ制御部（ボリューム制御部）１８、外部ＶＯＬ操作Ｉ／Ｆ１９、設定情報取得部２０及びタイマ２１を備える。
【００１６】
なお、ＰＥＲ確認部１６、バックエンドＩ／Ｆ１７、ＶＯＬ制御部１８、外部ＶＯＬ操作Ｉ／Ｆ１９及び設定情報取得部２０は、例えばこれら構成要素の機能をプログラムモジュールでそれぞれ表した制御プログラムを、マイクロコンピュータのＣＰＵに実行させることにより、このマイクロコンピュータ上でソフトウエアとハードウエアとが協働した具体的な手段として実現することができる。
【００１７】
ＰＥＲ確認部１６は、ＯＦＤＭ復調部１２から取り込んだＯＦＤＭ復調後のパケットエラー率（Packet Error Rate）（以下、ＰＥＲと呼ぶ）を基にデジタルテレビ放送の受信状態を判定し、バックエンド部４の動作制御などを行う構成要素であり、ＰＥＲ保管部２２及び判定部２３を備える。
【００１８】
ＰＥＲ保管部２２は、ＰＥＲ確認部１６がＯＦＤＭ復調部１２から取り込んだＰＥＲを保管するメモリである。判定部２３は、ＰＥＲ保管部２２に保管されたＰＥＲに基づいてフロントエンド部３によるデジタルテレビ放送の受信状態を判定し、この受信状態に応じてバックエンド部４の動作制御などを行う。判定部２３による処理の詳細は後述する。
【００１９】
バックエンドＩ／Ｆ１７は、マイコン部９とバックエンド部４とのインタフェースであり、マイコン部９によるバックエンド部４の制御は、バックエンドＩ／Ｆ１７を介して行われる。ＶＯＬ制御部１８は、外部ＶＯＬ操作Ｉ／Ｆ１９を介して外部ＶＯＬ操作部２５を用いて設定された音量を入力し、この音量で音声信号を出力するように音声信号加工部５を制御する（ＶＯＬ制御）。外部ＶＯＬ操作Ｉ／Ｆ１９は、マイコン部９と外部ＶＯＬ操作部２５とのインタフェースであり、外部ＶＯＬ操作部２５を用いた音量調整操作（以下、ＶＯＬ操作と呼ぶ）で設定された音量を取り込み、ＶＯＬ制御部１８へ出力する。
【００２０】
設定情報取得部２０は、モニタ７にメニュー画面などを表示させて、外部操作部１０を用いた情報設定を受け付けるＧＵＩ（Graphical User Interface）を提供する構成要素であり、メニュー画面に基づいて外部操作部１０を用いて設定された受信不可能時の処理で使用する情報を取り込んで設定情報メモリ２４に格納する。この情報には、受信不可能時にＢＧＭとして再生する楽曲データを指定する情報や、受信状態が安定したか否かを確認するためのエラーフリー時間（以下、安定時間と呼ぶ）などが挙げられる。
【００２１】
外部操作部１０は、デジタル受信機１の外部から操作をするための構成要素であって、外部からのＶＯＬ操作を受け付ける外部ＶＯＬ操作部２５及びメニュー画面などに応じてユーザが所望の情報を設定操作するための操作ボタン２６を備える。メモリ２７は、受信不可能時にＢＧＭとして再生する楽曲データなどを格納するメモリであり、例えばデジタル受信機１の内部メモリ若しくはＵＳＢ（Universal Serial Bus）などで接続可能な外部メモリに構築される。
【００２２】
次に動作について説明する。
図２は実施の形態１によるデジタル受信機の動作の流れを示すフローチャートであり、マイコン部９による動作を主に示している。
先ず、受信状態の劣化によってデジタル放送が受信不可能になった際に実行する処理で使用する情報を事前に設定する（ステップＳＴ１）。例えば、設定情報取得部２０が、メモリ２７に格納した楽曲データをリストアップした楽曲選択欄や安定時間を選択又は入力させる時間設定欄をメニュー画面として表示し、このメニュー画面を基に外部操作部１０を用いて指定された情報（ＢＧＭ用の楽曲データを指定する情報及び安定時間）を取り込んで設定情報メモリ２４に格納する。
【００２３】
次に、デジタルテレビ放送の受信中、マイコン部９のＰＥＲ確認部１６は、ＯＦＤＭ復調による誤り訂正処理で得られたＰＥＲデータをＯＦＤＭ復調部１２から取り込み、ＰＥＲ保管部２２に保管する（ステップＳＴ２）。ＰＥＲ確認部１６の判定部２３は、ＰＥＲ保管部２２に保管されたＰＥＲデータを読み出してＰＥＲに関する所定の閾値と比較し、この比較結果から受信可能な受信状態であるか否かを判定する（ステップＳＴ３）。
例えば、画面がフリーズするＰＥＲ値を上記閾値として判定部２３に予め設定しておき、ＰＥＲ保管部２２から読み出したＰＥＲデータが、この上限値以下であると受信可能状態と判定し、上記閾値を超えると放送内容の再生ができない受信不可能な状態であると判定する。
【００２４】
受信不可能な受信状態であると、判定部２３は、ステップＳＴ１でユーザによって選択された楽曲データを指定する情報を設定情報メモリ２４から読み出し、バックエンドＩ／Ｆ１７を介してバックエンド部４を制御して、上記情報で指定される楽曲データをメモリ２７から読み出させる（ステップＳＴ４）。この後、バックエンド部４は、メモリ２７から読み出した上記楽曲データを、受信不可能時におけるＢＧＭとして再生する（ステップＳＴ５）。なお、ＰＥＲ確認部１６は、上述したＢＧＭの再生処理後においてもＯＦＤＭ復調部１２からＰＥＲデータ取り込みを継続する。
【００２５】
一方、ステップＳＴ３で受信可能である場合、判定部２３は、バックエンドＩ／Ｆ１７を介してバックエンド部４による再生動作の状況をモニタし、受信不可能時におけるＢＧＭを再生中であるか否かを確認する（ステップＳＴ６）。ここで、ＢＧＭ再生中であれば、判定部２３は、ステップＳＴ１でユーザによって選択された安定時間を設定情報メモリ２４から読み出し、これをタイマ２１にセットしてカウントを開始させ、当該安定時間が経過するまで待ち状態に移行する（ステップＳＴ７）。この待ち状態の間、ＰＥＲ確認部１６は、ＯＦＤＭ復調部１２からＰＥＲデータを取り込み、ＰＥＲ保管部２２に保管する（ステップＳＴ８）。
【００２６】
安定時間が経過すると、判定部２３は、上記待ち状態の間に取り込まれたＰＥＲデータをＰＥＲ保管部２２から読み出し、ステップＳＴ３と同様にして受信可能な受信状態であるか否かを判定する（ステップＳＴ９）。このとき、受信可能であれば、判定部２３は、バックエンドＩ／Ｆ１７を介してバックエンド部４を制御し上記ＢＧＭ再生を停止させる（ステップＳＴ１０）。この後、デジタル受信機１は、デジタルテレビ放送の受信を再開する（ステップＳＴ１１）。
【００２７】
ＰＥＲ確認部１６は、ステップＳＴ１１でデジタルテレビ放送の受信が再開（テレビ音声出力）されるか、若しくは、ステップＳＴ９で依然として受信不可能である場合、ステップＳＴ２の処理に戻ってＯＦＤＭ復調部１２からＰＥＲデータ取り込みを継続し、上述した各ステップの処理を繰り返す。
【００２８】
図３は、図１中の判定部の動作概要を説明するための図であり、時間経過に応じたデジタルテレビ放送の受信状態と受信可否の判定結果とを示している。デジタルテレビ放送の電波状態の変化を電界で表すと、上述したＰＥＲデータの閾値に対応する電界閾値を超える値であれば、判定部２３は、フロントエンド部３によってデジタルテレビ放送が受信可能な受信状態であり、ＢＧＭ再生を停止すべきと判定（判定Ａ）する。
【００２９】
しかしながら、電界の状態は常に変動しているため、図３に示すように電界が閾値近辺でふらつく場合がある。例えば、デジタルテレビ放送が受信不可能な受信状態であり、ＢＧＭを再生すべきとの判定（判定Ｂ）による処理がなされていた状態から、電界が閾値を超えた時点（復帰時点）でただちに判定Ａの処理に切り替え、この直後に電界が閾値未満に戻ると、再び判定Ｂの処理に切り替えなければならない。
【００３０】
そこで、実施の形態１によるデジタル受信機では、判定Ｂの処理がなされた状態で電界が閾値を超えた（復帰）場合、電界が閾値を超えた時点（復帰時点）から所定の安定時間の経過を待つことにより、判定Ａ（デジタルテレビ放送の受信）と判定Ｂ（ＢＧＭ再生）との頻繁な切り替えを防止している。
【００３１】
また、ＶＯＬ操作におけるボリューム変化量に受信不可能時の上限値を設定しておき、受信不可能時には当該上限値を超えるＶＯＬ操作を受け付けないようにしてもよい。
この場合、マイコン部９の判定部２３が、受信不可能時のボリューム変化量の上限値をＶＯＬ制御部１８に設定し、ＶＯＬ制御部１８が、受信不可能時に当該上限値を超えるＶＯＬ操作を受け付けない。なお、受信不可能時のボリューム変化量の上限値は、予め固定値を設定しておいてもよく、またユーザに選択指定された値を設定情報取得部２０で取得して使用するようにしてもよい。
【００３２】
図４は、実施の形態１によるデジタル受信機の他の動作の流れを示すフローチャートであり、受信不可能時にボリューム変化量の上限値範囲内でＶＯＬ操作を受け付ける動作を示している。先ず、判定部２３は、外部ＶＯＬ操作Ｉ／Ｆ１９を介して、外部ＶＯＬ操作部２５を用いたＶＯＬ操作の有無をモニタする。このとき、外部からＶＯＬ操作があると（ステップＳＴ１ａ）、ＰＥＲ確認部１６は、ＯＦＤＭ復調における誤り訂正処理で得られたＰＥＲデータをＯＦＤＭ復調部１２から取り込んでＰＥＲ保管部２２に保管する（ステップＳＴ２ａ）。
【００３３】
判定部２３は、ＰＥＲ保管部２２に保管されたＰＥＲデータを読み出して、図２の場合と同様にＰＥＲに関する所定の閾値と比較し、この比較結果から受信可能な状態か否かを判定する（ステップＳＴ３ａ）。ここで、判定部２３により受信可能な状態であると判定されれば、ＶＯＬ制御部１８は、受信不可能時におけるボリューム変化量の上限値が設定されていれば、これをクリアする（ステップＳＴ４ａ）。これにより、ＶＯＬ制御部１８は、最大音量を含む通常の音量制御範囲内のＶＯＬ操作を受け付ける（ステップＳＴ５ａ）。
【００３４】
一方、ステップＳＴ３ａにおいて受信不可能な状態であると、判定部２３は、ボリューム変化量の上限値をＶＯＬ制御部１８に設定済みであるか否かを確認する（ステップＳＴ６ａ）。このとき、上記ボリューム変化量の上限値が設定されていなければ、判定部２３は、当該上限値をＶＯＬ制御部１８に設定する（ステップＳＴ７ａ）。
【００３５】
ステップＳＴ６ａで上限値が設定済みであったか若しくはステップＳＴ７ａで上限値が設定されると、ＶＯＬ制御部１８は、設定された上限値を超えない範囲でＶＯＬ操作を受け付ける（ステップＳＴ８ａ、ＳＴ５ａ）。このようにすることで、受信不可能時に大音量に音量調整される誤操作を防止することができ、受信可能時に急激な音量変化（無音から大音量への変化）が発生することがない。
【００３６】
なお、上記説明ではボリューム変化量の上限値を設定する場合を示したが、受信不可能時に無音状態に誤操作されることを防止するため、ボリューム変化量の下限値を設定するようにしてもよい。この場合、下限値を下回らない範囲でＶＯＬ操作が受け付けられて、受信不可能時に無音に設定され、受信可能な状態に復帰したことが把握できなくなることを防止することができる。この他、上限値と下限値を同時に設定し、これらで規定される範囲内でのＶＯＬ操作のみを受け付けるようにしても構わない。
【００３７】
また、受信不可能時におけるＶＯＬ操作の誤操作を確実に無くすため、受信不可能時にはＶＯＬ操作を受け付けないようにしてもよい。
図５は、実施の形態１によるデジタル受信機の他の動作の流れを示すフローチャートであり、受信不可能時にＶＯＬ操作を受け付けない動作を示している。図５において、ステップＳＴ１ｂからステップＳＴ３ｂまでの処理は、図４と同様である。ステップＳＴ３ｂにおいて、判定部２３が受信可能な状態であると判定した場合、ＶＯＬ制御部１８は、最大音量を含む通常の音量制御範囲内のＶＯＬ操作を受け付ける（ステップＳＴ４ｂ）。
【００３８】
一方、ステップＳＴ３ｂにおいて受信不可能な状態であると、判定部２３は、外部ＶＯＬ操作部２５を用いてなされたＶＯＬ操作に応じたＶＯＬ制御（外部操作に応じた音量制御）を禁止する指令を、ＶＯＬ制御部１８に通知する（ステップＳＴ５ｂ）。この通知を受けると、ＶＯＬ制御部１８は、受信不可能時にＶＯＬ操作を受け付けずに処理を終了する。
【００３９】
以上のように、この実施の形態１によれば、楽曲データを記憶するメモリ２７と、フロントエンド部３によるデジタル放送の受信状態を判定し、受信状態の劣化により放送内容の再生ができない受信不可状態になると、メモリ２７から選択された楽曲データをＢＧＭとしてバックエンド部４に再生させる判定部２３とを備える。
また、上記構成において、判定部２３が、フロントエンド部３のＯＦＤＭ復調部１２による受信信号の誤り訂正処理で得られたＰＥＲと所定の閾値との比較結果から、放送内容の再生ができない受信不可状態であるか否かを判定する。
このように構成することにより、受信状態の劣化でデジタル放送が受信不可能になったことを、ユーザに不快感を与えることなく伝えることができる。また、受信不可能時においても、ユーザがＢＧＭを聞きながら適確にＶＯＬ操作することができる。これにより、受信不可能時における音量調整の誤操作を防止することができる。
【００４０】
また、この実施の形態１によれば、外部操作で設定された情報を取得して保持する設定情報取得部２０を備え、ＢＧＭとして再生される楽曲データが、外部操作で設定された情報によってメモリ２７から選択された楽曲データである。これにより、受信状態の劣化でデジタル放送が受信不可能になったことを、ユーザの嗜好に合わせた形態で伝えることができる。
【００４１】
さらに、この実施の形態１によれば、判定部２３が、フロントエンド部３によるデジタル放送の受信状態が受信不可から受信可へ復帰した時点から安定時間が経過した後に、バックエンド部３によるＢＧＭ再生を停止させ、放送内容の再生を再開させる。このようにすることで、受信状態のふらつきに応じて受信可能時の処理と受信不可能時の処理とが頻繁に切り替わることを防止できる。なお、安定時間を外部操作で設定された時間とすることにより、受信可能時と受信不可能時との処理の切り替えをユーザ嗜好に合わせて実行できる。
【００４２】
さらに、この実施の形態１によれば、判定部２３が、フロントエンド部３によるデジタル放送の受信状態を判定して、受信状態の劣化により放送内容の再生ができない受信不可状態になると、音量変化の許容範囲をＶＯＬ制御部１８に設定し、ＶＯＬ制御部１８が、設定された音量変化の許容範囲内の外部操作のみを受け付けて音量を制御する。または、判定部２３が、外部操作に応じた音量制御を禁止する指令をＶＯＬ制御部１８に通知し、ＶＯＬ制御部１８が、禁止指令を受けると、外部操作に応じた音量制御を行わない。
このように構成することにより、受信不可能時における音量調整の誤操作を防止することができる。
【００４３】
なお、上記実施の形態１では、この発明の概念をデジタルテレビ放送受信機に適用した場合を示したが、これに限定されるものではない。例えば、デジタルラジオ放送の受信機に適用しても、上記と同様な効果が得られる。
【００４４】
また、上記実施の形態１では、受信不可能時にＢＧＭ再生を行う場合を示したが、ユーザ嗜好に合う動画像や静止画像を予め指定しておき、当該画像をモニタ７に表示しつつ、ＢＧＭを再生するようにしてもよい。
【００４５】
この発明に係るデジタル受信機は、フロントエンド部によるデジタル放送の受信状態を判定し、受信状態の劣化により放送内容の再生ができない受信不可状態になると、記憶部から選択された楽曲データをＢＧＭとしてバックエンド部に再生させるので、受信状態の劣化によってデジタル放送が受信不可能になったことを、ユーザに不快感を与えることなく、ユーザの嗜好に合わせた形態で伝えることができるという効果がある。よって、デジタル放送を受信するデジタル受信機等に用いるのに適している。
【手続補正２】
【補正対象書類名】特許請求の範囲
【補正対象項目名】全文
【補正方法】変更
【補正の内容】
【特許請求の範囲】
【請求項１】
デジタル放送を受信して復調するフロントエンド部と、前記フロントエンド部で復調された信号をデコードして放送内容を再生するバックエンド部とを備えたデジタル受信機において、
外部操作に応じて音声出力の音量を制御するボリューム制御部と、
前記フロントエンド部によるデジタル放送の受信状態を判定して、放送内容の再生ができない状態と判定した際に、音量変化の許容範囲を前記ボリューム制御部に設定する判定部とを備え、
前記ボリューム制御部は、前記設定された許容範囲内に音量を制御することを特徴とするデジタル受信機。
【請求項２】
判定部は、フロントエンド部による受信信号の誤り訂正処理で得られたパケットエラー率と所定の閾値との比較結果から、放送内容の再生ができない状態であるか否かを判定することを特徴とする請求項１記載のデジタル受信機。
【請求項３】
ボリューム制御部は、前記音量変化の上限値を設定しておき、受信不可能時には該上限値を超える操作を受け付けないことを特徴とする請求項１記載のデジタル受信機。
【請求項４】
ボリューム制御部は、前記音量変化の下限値を設定しておき、受信不可能時には該下限値を下回る操作を受け付けないことを特徴とする請求項１または請求項３記載のデジタル受信機。
【国際調査報告】
2010026692.tif 000008
2010026692.tif 000009
2010026692.tif 000010
2010026692.tif 000011